(57)【要約】【課題】大型化と光ファイバケーブルの成端の破損を防止できる分電盤を提供する。【解決手段】分電盤１は板本体２と電源コンセントと光ファイバケーブル４の成端５とカバー部材６を備えている。電源コンセントは板本体２の一方の表面２ａに設置されている。光ファイバケーブル４の成端５は板本体２の他方の表面２ｂに保持されている。カバー部材６は板本体２とともに光ファイバケーブル４の成端５を覆う。【選択図】図２
2007049793.tif 000002
【特許請求の範囲】
【請求項１】
平板状の板本体と、電子機器と電気的に接続するための接続部品と、光ファイバケーブルの成端とを備えた分電盤において、
前記接続部品を前記板本体の一方の表面に設置し、前記光ファイバケーブルの成端を前記板本体の他方の表面に保持したことを特徴とする分電盤。
【請求項２】
前記板本体は、複数の板部材を備えていることを特徴とする請求項１記載の分電盤。
【請求項３】
前記接続部品と前記光ファイバケーブルの成端とは、互いに異なる板部材に設けられていることを特徴とする請求項２記載の分電盤。
【請求項４】
前記接続部品が建造物の室内側に位置し、前記光ファイバケーブルの成端が前記建造物の壁面と相対した状態で、前記建造物に設置されることを特徴とする請求項１ないし請求項３のうちいずれか一項に記載の分電盤。
【請求項５】
前記板本体に取り付けられて、該板本体とともに前記光ファイバケーブルの成端を覆うカバー部材を備えたことを特徴とする請求項４記載の分電盤。
【発明の詳細な説明】
【技術分野】
【０００１】
本発明は、建造物などに設置されて、該建造物に導かれた光ファイバケーブルの成端や、電子機器に電源を供給するコンセントや外部と電気的に接続して通信を行うためのプラグなどを設置した分電盤に関する。
【背景技術】
【０００２】
近年の情報化社会の発展に伴い、建造物には、電子機器に電力を供給するためのコンセントに加え、各種の通信端末や光ファイバケーブルの成端が設置されるようになっている。このため、前述したコンセントや通信端末などの電子機器と電気的に接続するための接続部品や、光ファイバケーブルの成端を集中して配置した分電盤が提案されている。
【０００３】
前述した分電盤は、平板状の板本体と、該板本体に設置された前述した接続部品と、光ファイバケーブルの成端とを備えている。接続部品と光ファイバケーブルの成端とは、板本体の表面上に設置されている。
【発明の開示】
【発明が解決しようとする課題】
【０００４】
前述した光ファイバケーブルは、信号光の確実な伝送のためと光ファイバの破損を防止するために、電線などのように急激に曲げることができない。このため、前述した分電盤は、板本体の表面に接続部品と光ファイバケーブルの成端とを設置すると、該板本体が大型化してしまう。
【０００５】
また、前述した接続部品と光ファイバケーブルの耐用年数が異なる。一般に、接続部品の耐用年数より光ファイバケーブルの耐用年数の方が長い。このため、接続部品の交換などの際に、作業員が光ファイバケーブルの成端に触れてしまい、該光ファイバケーブルの成端が破損する可能性があった。
【０００６】
したがって、本発明の目的は、大型化と光ファイバケーブルの成端の破損を防止できる分電盤を提供することにある。
【課題を解決するための手段】
【０００７】
上記課題を解決するためになされた請求項１記載の分電盤は、平板状の板本体と、電子機器と電気的に接続するための接続部品と、光ファイバケーブルの成端とを備えた分電盤において、前記接続部品を前記板本体の一方の表面に設置し、前記光ファイバケーブルの成端を前記板本体の他方の表面に保持したことを特徴としている。
【０００８】
請求項２記載の分電盤は、請求項１記載の分電盤において、前記板本体は、複数の板部材を備えていることを特徴としている。
【０００９】
請求項３記載の分電盤は、請求項２記載の分電盤において、前記接続部品と前記光ファイバケーブルの成端とは、互いに異なる板部材に設けられていることを特徴としている。
【００１０】
請求項４記載の分電盤は、請求項１ないし請求項３のうちいずれか一項に記載の分電盤において、前記接続部品が建造物の室内側に位置し、前記光ファイバケーブルの成端が前記建造物の壁面と相対した状態で、前記建造物に設置されることを特徴としている。
【００１１】
請求項５記載の分電盤は、請求項４記載の分電盤において、前記板本体に取り付けられて、該板本体とともに前記光ファイバケーブルの成端を覆うカバー部材を備えたことを特徴としている。
【００１２】
請求項１記載の本発明の分電盤によれば、接続部品を板本体の一方の表面に設け、光ファイバケーブルの成端を他方の表面に設けているので、板本体の大型化を防止できる。
【００１３】
また、接続部品を板本体の一方の表面に設け、光ファイバケーブルの成端を他方の表面に設けているので、接続部品の交換などの際に、作業員が光ファイバケーブルに接触することを防止できる。
【００１４】
請求項２記載の本発明の分電盤によれば、板本体が複数の板部材を備えているので、接続部品と光ファイバケーブルの成端とを互いに異なる板部材に設けることで、板部材を交換することにより、接続部品や光ファイバケーブルを交換できる。
【００１５】
請求項３記載の本発明の分電盤によれば、接続部品と光ファイバケーブルの成端とを互いに異なる板部材に設けられているので、板部材を交換することにより、接続部品や光ファイバケーブルを交換できる。
【００１６】
請求項４記載の本発明の分電盤によれば、接続部品を建造物の室内側に設置し、光ファイバケーブルの成端を壁と相対させているので、光ファイバケーブルの成端が板本体と壁とで囲まれるので、該光ファイバケーブルの成端に異物が接触することを防止できる。
【００１７】
請求項５記載の本発明の分電盤によれば、光ファイバケーブルの成端を板本体とカバー部材とで覆うので、該光ファイバケーブルの成端に異物が接触することを防止できる。
【発明の効果】
【００１８】
請求項１記載の本発明は、板本体の大型化を防止できるので分電盤自体の大型化を防止できる。接続部品の交換などの際に、作業員が光ファイバケーブルに接触することを防止できるので、光ファイバケーブルの成端の破損を防止できる。
【００１９】
請求項２記載の本発明は、接続部品と光ファイバケーブルの成端とを互いに異なる板部材に設けることで、板部材を交換することにより、接続部品や光ファイバケーブルを交換できる。このため、接続部品や光ファイバケーブルなどの交換にかかる手間を削減できる。
【００２０】
請求項３記載の本発明は、板部材を交換することにより、接続部品や光ファイバケーブルを交換できる。このため、接続部品や光ファイバケーブルなどの交換にかかる手間を削減できる。
【００２１】
請求項４記載の本発明は、光ファイバケーブルの成端が板本体と壁とで囲まれるので、該光ファイバケーブルの成端に異物が接触することを防止できる。このため、光ファイバケーブルの成端の不意な破損を防止できる。
【００２２】
請求項５記載の本発明は、光ファイバケーブルの成端を板本体とカバー部材とで覆うので、該光ファイバケーブルの成端に異物が接触することを防止できる。このため、光ファイバケーブルの成端の不意な破損を防止できる。
【発明を実施するための最良の形態】
【００２３】
以下、本発明の一実施の形態にかかる分電盤を、図１ないし図６に基づいて説明する。本実施形態にかかる分電盤１（図１に示す）は、建造物の壁面などに設置されて、該建造物の外部と、建造物内の電子機器とを電気的及び光学的に接続するために用いられる。
【００２４】
分電盤１は、図１に示すように、平板状の板本体２と、電源コンセント３と、図示しないインターネット用のルータと、ハブと、光ファイバケーブル４の成端５と、カバー部材６（図２及び図３に示す）とを備えている。
【００２５】
板本体２は、図１ないし図３に示すように、複数の板部材７を備えている。図示例では、板部材７は、三つ設けられている。これらを以下、第１板部材７（以下、符号７ａで示す）と、第２板部材７（以下、符号７ｂで示す）と、第３板部材７（以下、符号７ｃで示す）と呼ぶ。板部材７ａ，７ｂ，７ｃは、それぞれ、平板状に形成されている。板部材７ａ，７ｂ，７ｃの平面形状は、矩形状である。板部材７ａ，７ｂ，７ｃの厚みは、互いに等しい。板部材７ａ，７ｂ，７ｃは、両表面が互いに面一となり、かつ縁が互いに近接した状態で配置される。
【００２６】
電源コンセント３と、図示しないインターネット用のルータと、ハブとは、特許請求の範囲に記載された接続部品をなしている。電源コンセント３は、前述した電子機器と接続して、外部から供給される電力を電子機器に供給する。ルータとハブとは、前述した電子機器としてのポータブルコンピュータなどと電気的に接続する。こうして、電源コンセント３と、図示しないインターネット用のルータと、ハブとは、前述した建造物内に設けられる電子機器と電気的に接続する。
【００２７】
電源コンセント３と、図示しないインターネット用のルータと、ハブとは、板本体２の建造物の室内側に露出する一方の表面２ａに設置される（設けられる）。図示例では、電源コンセント３と、図示しないインターネット用のルータと、ハブとは、複数の板部材７ａ，７ｂ，７ｃのうち最も大きな第１板部材７ａの前述した一方の表面２ａを構成する表面８ａに設けられている。
【００２８】
光ファイバケーブル４の成端５は、前述した建造物の外部と、建造物内に設けられる電子機器とを光学的に接続するために用いられる。勿論、光ファイバケーブル４は、建造物の外部と光学的に接続している。
【００２９】
光ファイバケーブル４は、図５に示すように、外側被覆としての長尺の筒状の外皮１２と、該外皮１２内に収容された四つの光ファイバ１１と、二つの支持線１３と、を備えている。外皮１２は、可撓性を有しているとともに、光ファイバ１１を収容して、該光ファイバ１１が破損することを防止している（保護している）。外皮１２の幅方向の中央には、その全長に亘ってノッチ１４が設けられている。ノッチ１４は、外皮１２の外表面から凹に形成されている。ノッチ１４は、外皮１２則ち光ファイバケーブル４の長手方向に沿って直線状に延在している。
【００３０】
光ファイバ１１は、長尺な線条に形成されており、導光性の合成樹脂およびガラスなどで構成されている。光ファイバ１１は、例えば、合成樹脂およびガラスなどで構成されており、信号光を伝送する。四つの光ファイバ１１は、その全長に亘って、外周に被覆部１５が被覆されて束ねられている。被覆部１５は、紫外線が照射されると硬化する合成樹脂で構成されている。被覆部１５は、光ファイバ１１を被覆して、該光ファイバ１１内を伝送される信号光が外部に漏れることを防止しているとともに、該光ファイバ１１を保護している。
【００３１】
支持線１３は、長尺な線条に形成されており、例えば、ＦＲＰなどの繊維などで強化された合成樹脂や、鋼などの剛性の高い材料で構成されている。支持線１３は、外皮１２の幅方向の両端部に埋設されている。支持線１３は、外皮１２則ち光ファイバ１１の全長に亘って設けられている。支持線１３は、光ファイバ１１則ち光ファイバケーブル４が折れ曲がることを規制している。
【００３２】
前述した光ファイバケーブル４は、その全長に亘って、外皮１２内に光ファイバ１１と支持線１３とを収容して、長尺な線条に形成されている。また、前述した被覆部１５と外皮１２との間には、隙間（空間ともいう）１６が設けられている。則ち、被覆部１５と外皮１２とは、互いに密に接触していない。
【００３３】
光ファイバケーブル４は、その端末に形成された成端５が電子機器に接続されて、該電子機器に所望の信号光を伝送する。
【００３４】
光ファイバケーブル４の成端５は、該光ファイバケーブル４の端末の外皮１２と支持線１３と被覆部１５とが除去されて、露出した光ファイバ１１が保護チューブ１７に通されるとともに、該保護チューブ１７の端末に前述した電子機器と接続するためのプラグ１８が取り付けられて構成されている。
【００３５】
則ち、光ファイバケーブル４の成端５とは、該光ファイバケーブル４の光ファイバ１１を電子機器と接続可能にしたものをいう。光ファイバケーブル４の成端５は、図４に示すように、前述したように保護チューブ１７と、プラグ１８とを備えている。
【００３６】
保護チューブ１７は、光ファイバ１１が挿通されて、この光ファイバ１１を保護するための所定長のチューブ状の部材である。保護チューブ１７は、図６に示すように、チューブ状の外皮１９と、該外皮１９内に収容された光ファイバ１１挿通用のインナチューブ２０と、前記外皮１９とインナチューブ２０との間に複数（多数）収容された抗張力繊維２１とを備えている。
【００３７】
抗張力繊維２１は、外皮１９及びインナチューブ２０則ち保護チューブ１７に、該保護チューブ１７が直線状となるように張力を付与する。則ち、抗張力繊維２１は、保護チューブ１７を曲げにくくする。このため、保護チューブ１７は、曲げられると直線状に復帰しようとする弾性復元力を生じて輪状となる。
【００３８】
前述した保護チューブ１７は、その全長に亘って、外皮１９内にインナチューブ２０と抗張力繊維２１とを収容して、長尺な線条に形成されている。保護チューブ１７は、前述したインナチューブ２０内に光ファイバケーブル４の外皮１２より露出した光ファイバ１１を収容する。そして、保護チューブ１７は、曲げられても、極力曲率半径が大きくなる方向の弾性復元力を生じて、光ファイバ１１が折れ曲がることを規制している。
【００３９】
プラグ１８は、保護チューブ１７の光ファイバ１１の端末側に位置する一方の端末に取り付けられている。プラグ１８は、前述した電子機器と接続して、該電子機器と光ファイバケーブル４の光ファイバ１１とを光学的に接続する。
【００４０】
前述した光ファイバケーブル４の成端５は、板本体２の建造物の壁面と相対する他方の表面２ｂ（前述した一方の表面２ａの裏側）に保持される。則ち、光ファイバケーブル４の成端５は、接続部品としての電源コンセント３の裏側に設けられる。図示例では、複数の板部材７ａ，７ｂ，７ｃのうちの前述した電源コンセント３などの接続部品が設けられた第１板部材７ａとは異なる第２板部材７ｂの前述した他方の表面２ｂを構成する表面８ｂに設けられる。
【００４１】
光ファイバケーブル４の成端５は、第２板部材７ｂの表面８ｂから立設した係止爪２５間に光ファイバケーブル４の外皮１２及び保護チューブ１７が圧入されて、該第２板部材７ｂの表面８ｂに取り付けられる（保持される）。このとき、保護チューブ１７は、巻回されて（巻かれて）、前述した第２板部材７ｂの表面８ｂに取り付けられる。
【００４２】
カバー部材６は、樋状に形成された本体部２２と、該本体部２２の幅方向の両縁から該本体部２２の外方向に突出したフランジ部２３とを一体に備えている。本体部２２の幅は、前述した第２板部材７ｂの幅と略等しい。カバー部材６は、フランジ部２３が前述した板本体２の他方の表面２ｂに重ねられて、ねじ２４（図２に示す）などによって板本体２に取り付けられる。カバー部材６は、一方のフランジ部２３が第１板部材７ａと第２板部材７ｂとに重なり、他方のフランジ部２３が第２板部材７ｂと第３板部材７ｃとに重なって、本体部２２が第２板部材７ｂとともに光ファイバケーブル４の成端５を覆う。
【００４３】
前述した分電盤１は、以下のように組み立てられる。まず、第２板部材７ｂの表面８ｂから立設した係止爪２５間に光ファイバケーブル４の成端５の外皮１２や保護チューブ１７などが圧入される。そして、第２板部材７ｂに光ファイバケーブル４の成端５が取り付けられる。そして、カバー部材６の一方のフランジ部２３を第１板部材７ａと第２板部材７ｂとに重ね、他方のフランジ部２３を第２板部材７ｂと第３板部材７ｃとに重ねて、これらをねじ２４で固定する。こうして、前述した構成の分電盤１が組立られる。
【００４４】
分電盤１は、前述した一方の表面２ａが建造物の室内側に露出し、他方の表面２ｂが建造物の壁面に相対した状態で、建造物の壁面に取り付けられる。分電盤１は、前述した接続部品や光ファイバケーブル４の成端５が各種の電子機器に接続されて、該電子機器に必要な電力や信号を供給する。
【００４５】
本実施形態によれば、電源コンセント３などの接続部品を板本体２の一方の表面２ａに設け、光ファイバケーブル４の成端５を他方の表面２ｂに設けているので、板本体２の大型化を防止できる。したがって、板本体２の大型化を防止できるので分電盤１自体の大型化を防止できる。
【００４６】
また、電源コンセント３などの接続部品を板本体２の一方の表面２ａに設け、光ファイバケーブル４の成端５を他方の表面２ｂに設けているので、電源コンセント３などの接続部品の交換などの際に、作業員が光ファイバケーブル４の成端５に接触することを防止できる。したがって、光ファイバケーブル４の成端５の破損を防止できる。
【００４７】
さらに、板本体２が複数の板部材７ａ，７ｂ，７ｃを備えている。電源コンセント３などの接続部品と光ファイバケーブル４の成端５とを互いに異なる板部材７ａ，７ｂ，７ｃに設けている。このため、板部材７ａ，７ｂ，７ｃを交換することにより、電源コンセント３などの接続部品や光ファイバケーブル４を交換できる。このため、電源コンセント３などの接続部品や光ファイバケーブル４などの交換にかかる手間を削減できる。
【００４８】
電源コンセント３などの接続部品を建造物の室内側に設置し、光ファイバケーブル４の成端５を建造物の壁面と相対させているので、光ファイバケーブル４の成端５が板本体２と壁面とで囲まれるので、該光ファイバケーブル４の成端５に異物が接触することを防止できる。このため、光ファイバケーブル４の成端５の不意な破損を防止できる。
【００４９】
さらに、光ファイバケーブル４の成端５を板本体２とカバー部材６とで覆うので、該光ファイバケーブル４の成端５に異物が接触することを防止できる。このため、光ファイバケーブル４の成端５の不意な破損を防止できる。
【００５０】
前述した実施形態では、接続部品としての電源コンセント３とインターネット用のルータとハブとを板本体２の一方の表面２ａに設けている。しかしながら、本発明では、接続部品として、電話線の終端や分岐、各種のインターネット機器、ＴＶ放送用の分配器などを板本体２の一方の表面２ａに設けても良い。要するに、本発明では、電子機器と電気的に接続するための接続部品であれば如何なる物品を板本体２の一方の表面２ａに設けても良い。
【００５１】
また、前述した実施形態では、接続部品を第１板部材７ａに設け、光ファイバケーブル４の成端５を第２板部材７ｂに設けて、接続部品と光ファイバケーブル４の成端５とを互いに異なる板部材７ａ，７ｂ，７ｃに設けている。しかしながら、本発明では、接続部品と光ファイバケーブル４の成端５とを、同じ板部材７ａ，７ｂ，７ｃに設けても良い。
【００５２】
また、板本体２を複数の板部材７ａ，７ｂ，７ｃに分割している。しかしながら、本発明では、板本体２を一つの板で構成しても良い。
【００５３】
さらに、前述した実施形態では、光ファイバケーブル４を設けた第２板部材７ｂをねじ２４によって固定している。しかしながら、本発明では、光ファイバケーブル４を設けた板部材７ａ，７ｂ，７ｃと他の板部材７ａ，７ｂ，７ｃとを蝶番で連結して、光ファイバケーブル４を設けた板部材７ａ，７ｂ，７ｃを他の板部材７ａ，７ｂ，７ｃに対して回動自在にしても良い。この場合、光ファイバケーブル４の成端５のプラグ１８の電子機器への着脱が容易に行える。
【００５４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５５】
【図１】本発明の一実施の形態にかかる分電盤の正面図である。
【図２】図１中のＩＩ−ＩＩ線に沿う断面図である。
【図３】図１に示された分電盤の分解斜視図である。
【図４】図１に示された分電盤の光ファイバケーブルの成端と第２板部材とを示す斜視図である。
【図５】図１に示された分電盤に取り付けられる光ファイバケーブルの断面図である。
【図６】図５に示された光ファイバケーブルの光ファイバが収容される保護チューブの断面図である。
【符号の説明】
【００５６】
１  分電盤
２  板本体
２ａ  一方の表面
２ｂ  他方の表面
３  電源コンセント（接続部品）
４  光ファイバケーブル
５  成端
６  カバー部材
７  板部材
７ａ  第１板部材
７ｂ  第２板部材
７ｃ  第３板部材
【図１】
2007049793.tif 000003
【図２】
2007049793.tif 000004
【図３】
2007049793.tif 000005
【図４】
2007049793.tif 000006
【図５】
2007049793.tif 000007
【図６】
2007049793.tif 000008